(57)【要約】【課題】  工業的に製造された絶乾ガスを文化財や食品類用の殺虫ガスとして使用する際、湿度変化に敏感な文化財や乾燥を嫌う食品類などが絶乾ガス曝露による急激な湿度変化によって、水分が奪われ、それによって材質の収縮、乾燥が起こるのを防止することを課題とする。【解決手段】  本発明のガスの加湿方法は、調湿剤を詰めた密閉容器に絶乾ガスを通気することで加湿ガスとする方法である。【選択図】  図１
2007078335.tif 000002
【特許請求の範囲】
【請求項１】
調湿剤を有する密閉容器に絶乾ガスを通気して加湿ガスとするガスの加湿方法。
【請求項２】
調湿剤が所定含水量を有する二酸化ケイ素（シリカ）、木材粒等からなり、特に放吸湿性のある調湿剤を使用した請求項１に記載のガスの加湿方法。
【請求項３】
絶乾ガスが炭酸ガス、窒素ガス、酸素ガス、アルゴンガスなどの工業的に製造されたガスで、ほとんど水分を含まないガスからなる請求項１に記載のガスの加湿方法。
【請求項４】
加湿ガスの湿度調整を絶乾ガスの通気流量、通気時間及び調湿剤の充てん量並びに調湿剤の温度を２０〜３０℃で制御する請求項１に記載のガスの加湿方法。
【請求項５】
湿度調整された加湿ガスの湿度が３０〜６０％する請求項１に記載のガスの加湿方法。
【請求項６】
湿度が５０〜７０％である請求項２の調湿剤を使用した請求項１に記載のガスの加湿方法。
【発明の詳細な説明】
【技術分野】
【０００１】  本発明は、ガスの加湿方法に関するものであり、より詳細には、工業的に製造される絶乾ガスの加湿方法に関する。
【背景技術】
【０００２】  工業的に製造されるガス（炭酸ガス、窒素ガス、酸素ガス、アルゴンガス）などは、ほとんど水分を含まない絶乾ガスとして製造されている。これらのガスで湿度変化を嫌う文化財や食品類などの物品を殺虫などの目的で曝露すると物品が乾燥し、歪みやひび割れなどの悪影響を及ぼす恐れがあった。【０００３】  このような現象を防止するために従来は、絶乾ガスを水中にバブリングして加湿する装置があった（例えば、特許文献１参照）。また、空気より酸素を選択的に吸着除去して窒素ガスを生成する窒素ガス発生装置に加湿装置を備えたものがあった。（例えば、特許文献２参照）【０００４】  これらの加湿装置は、乾燥した絶乾ガスを２系統に分離し、一方はそのままで、他方は加湿器（水に絶乾ガスを流し、バブリングして加湿する装置）を通して１００％加湿ガスとし、これら２系統のガスを混合して必要な湿度のガスを得ていた。しかし、精度の高い湿度のガスを得るには、それぞれの流量をマスフローメーター等の流量計を用いて調整する必要があった。【０００５】  また、これらの装置の加湿器側は、ほとんど１００％加湿ガスであるため温度・流量等の小さな変化でも結露しやすく、特に配管等が冷えるたり、使い始めなどでは結露することがすることが多かった。また、大量のガスを流すと気化熱による温度低下や液面低下の大きくなり、安定した加湿ガスを得ることが難しかった。【０００６】  このように、精度良い加湿ガスを得るには、マスフローコントローラ等による２系統の流量管理、水槽・配管等の温度管理、水槽の液面管理が必要であり、コストがかかり、簡便な調湿方法ではなかった。
【特許文献１】    特許２７７７７８０号公報
【特許文献２】    特開Ｈ０９−２８５２０号公報
【発明の開示】
【発明が解決しようとする課題】
【０００７】  本発明は、前述の、従来のガス加湿装置における問題点を解決し、必要な流量や湿度に合わせて、絶乾ガスを所望の湿度に加湿し、そして必要量のガスを効率良く提供することを課題とする。又、本発明は、工業的に製造された絶乾ガス（露点温度が−５０℃以下）を文化財や食品類用の殺虫ガスとして使用する際、湿度変化に敏感な文化財や乾燥を嫌う食品類などが絶乾ガスに曝露されることによる急激な湿度変化によって、水分が奪われ、それによって材質の収縮、乾燥が起こるのを防止することを課題とする。【０００８】  従来から使用されているバブリング方式では、液面からのバブリング位置によって、加湿の度合いが変化するので、常に液面からの距離を一定以上に保つ必要がある。又、水温によっても水分の添加量が変化するので、常に液面と水温を一定にする必要があった。このような工夫をしても、使い始めなどにおいては、バブリング槽の気相部分が１００％になっており、対象物の温度が低いと文化財や食品類などの対象物を濡らすことがあった。また、配管が冷えると水分が凝縮して同じように文化財や食品類などの対象物を濡らすことがあった。【０００９】  １００％加湿したガスと絶乾ガスを混合する方法においても、一定湿度のガスを得ることは難しく、バファータンクなどを用いて十分に加湿ガスと絶乾ガスを混合してから使用する必要があった。また、全体の必要流量が変化すると加湿側、絶乾ガス側、それぞれの流量を変えて、全体流量を調整する必要があった。
【課題を解決するための手段】
【００１０】  本発明のガスの加湿方法は、調湿剤を詰めた密閉容器に絶乾ガスを通気することで加湿ガスを供給する方法である。そして、調湿剤が所定含水量を有する二酸化ケイ素（シリカ）、木材粒等からなり、特に放吸湿性のあるものである。
【発明の効果】
【００１１】  本発明のガスの加湿法を用いることによって、湿度変化を嫌う文化財や食品類などの物品を殺虫などの目的で曝露することによる物品の乾燥及び歪み並びにひび割れなどの悪影響を防止できる。【００１２】  本発明は、通気流量、通気時間、調湿剤の充てん量を制御するだけで良く、温度調整された室内であれば、特に、調湿剤等の温度管理等も必要なく、コストがかからず管理も容易な方法である。
【発明を実施するための最良の形態】
【００１３】  好ましい調湿剤としては、アートソーブ（登録商標）等の高性能調湿剤（シリカゲルベース）がある。これを利用すると一定の水分量を絶乾ガスに添加することができる。【００１４】  安定した調湿ガスの供給は、絶乾ガスの通気流量、通気時間、ＲＨを調整した調湿剤の充てん量で制御できる。【００１５】  特に、文化財保存に適した温度２０〜２５℃、相対湿度４０〜６０％である。この雰囲気ガスを作り出すには、密閉容器内に入れる調湿剤の水分量が５０〜７０％程度ものとし、好ましくは、調湿剤の水分量が６０％のものを密閉容器内に入れて、絶乾ガスを通気させることにより、相対湿度が６０％を超えることがなく、４０〜６０％の調湿されたガスを供給することができる。
【実施例１】
【００１６】  炭酸ガスをヒーター付き減圧弁で３０Ｌ／ｍｉｎの流量で、ＲＨ４０％、ＲＨ７３％、ＲＨ８０％に調湿されたシリカゲル１ｋｇを通して、１．５ｍ３の庫内に流した時の調湿されたガスの温度と湿度を表１に示す。
【表１】
2007078335.tif 000003
【００１７】  それぞれ調湿されたシリカゲルに炭酸ガスを流した場合、始めは調湿されたシリカゲルのＲＨに近い湿度が得られるが徐々に温度と共に湿度が下がり、文化財に適した湿度を安定的に維持することが困難になることがわかった。
【実施例２】
【００１８】  炭酸ガスを気化器（気化器温水温度６０℃）で気化させて約９０分間で６０ｋｇをＲＨ５０％に調湿したアートソーブ約７ｋｇを通して４０ｍ３の庫内に流した時の調湿されたガスの温度と湿度を表１に示す。
【表２】
2007078335.tif 000004
【００１９】  ５０％ＲＨに調整されたアートソーブに炭酸ガスを流したのに、湿度が５０％を超えたのは気化器の温水温度が６０℃と高いため、高い温度の炭酸ガスがアートソーブから多くの水分を取り出したためである。しかし、結果から分かるように適切にＲＨを調整した調湿剤量に適切な温度のガスを流すことにより文化財保存に適した温度２０〜２５℃、相対湿度４０〜６０％のガスをえることができた。
【産業上の利用可能性】
【００２０】  本発明は、適切な湿度を必要とする分野において、一定の湿度のガスを供給する方法として広く活用できる。
【図面の簡単な説明】
【００２１】
【図１】本発明のガスの加湿方法の一例を示す概略構成図である。
【図２】本発明の調湿剤充填容器の一例を示す概略構成図である。
【符号の説明】
【００２２】１  ・・・炭酸ガスボンベ（サイホン管付き）
２  ・・・気化器
３  ・・・減圧弁
４  ・・・調湿剤充填容器
５  ・・・供給ガス温湿度測定器
６  ・・・庫内
４ａ・・・絶乾ガス入口
４ｂ・・・ガラスウール
４ｃ・・・ガラスウール
４ｄ・・・低圧用Ｏリング付ＳＣクランプ
４ｅ・・・調湿剤
４ｆ・・・パンチングボード
４ｇ・・・ボールバルブ
４ｈ・・・調湿ガス出口
４ｉ・・・調湿剤取出口
【図１】
2007078335.tif 000005
【図２】
2007078335.tif 000006